(57)【要約】  【課題】  親子局装置の間で授受される監視等の情報のデータ量に応じて変調方式を切替え、適切な伝送レートを設定可能な装置間通信システムを提供する。  【解決手段】  本発明の装置間通信システム１００において、変調方式選択制御部であるＭＰＵ３０，４０が複数の変調部であるＦＳＫ・ＭＯＤ３１，４５およびＡＳＫ・ＭＯＤ３２，４６と、複数の復調部であるＦＳＫ・ＤＥＭ３５，４１およびＡＳＫ・ＤＥＭ３６，４２の中から装置間通信を行うデータ量に適合する変調部と復調部とを選択し、選択した変調部と復調部とを介して装置間通信を行わせることにより、親局装置１２０と子局装置１４１〜１４ｎとの間にそれぞれ最適な伝送レートを設定することができる。  【選択図】  図３
2006060340.tif 000002
【特許請求の範囲】
【請求項１】
基地局と電波不感地帯にある端末装置との間のＲＦ信号の授受を可能にするために、基地局との間の通信を行う親局装置と、親局装置と光信号ケーブルを介して通信を行うとともに、親局装置と端末装置との間の通信を媒介する子局装置とを有し、親局装置と子局装置との間ではＲＦ信号以外の監視および制御に関する装置間通信が行われる装置間通信システムにおいて、
親局装置と子局装置とのうち、少なくとも親局装置に配置され、装置間通信のために異なる変調方式をそれぞれ実行する複数の変調部と、
前記複数の変調部からの変調信号を受ける親局装置または子局装置に配置された複数の復調部と、
送信する情報のデータ量に適合する有利な変調方式を実行する変調部、および、その変調部に対応する復調部を選んで装置間通信を親局装置と子局装置との間で実行させる変調方式選択制御部とを有することを特徴とする装置間通信システム。
【発明の詳細な説明】
【技術分野】
【０００１】
本発明は、装置間通信システムに関し、特に、基地局と電波不感地帯にある端末装置との間のＲＦ信号の授受を可能にするために、基地局との間の通信を行う親局装置と、親局装置と光信号ケーブルを介して通信を行うとともに、親局装置と端末装置との間の通信を媒介する子局装置とを有し、親局装置と子局装置との間ではＲＦ信号以外の監視および制御に関する装置間通信が行われる装置間通信システムに関する。
【背景技術】
【０００２】
このような装置間通信システムは、基地局と、トンネル等の電波不感地帯にある端末装置との間の通信を良好に行うために用いられている。図５は、このような装置間通信システムの従来例を示すブロック図である。図５で示される装置間通信システム５００は、基地局２１０と、親局装置２２０と、親局装置２２０に光回線２３１，２３２，〜，２３ｎでそれぞれ接続された子局装置２４１，２４２，〜，２４ｎと、モデム２２８および電話回線２２９を介して親局装置２２０に接続された監視局２５０とを有する。
【０００３】
上述の装置間通信システム５００において、基地局２１０と親局装置２２０との間の送受信は、有線あるいは無線で行われる。基地局２１０からの信号は、親局装置２２０で受信され、電気信号から光信号にＥ／Ｏ変換され、光回線２３１，２３２，〜，２３ｎを通じて複数の子局装置２４１，２４２，〜，２４ｎにそれぞれ伝達される。子局装置２４１，２４２，〜，２４ｎは、受け取った光信号を電気信号にＯ／Ｅ変換し、ＲＦ信号としてアンテナから電波不感地帯に送信し、自局のサービスを受ける端末装置に受信させる。逆に、端末装置からの送信信号は、子局装置２４１，２４２，〜，２４ｎに受信され、電気信号から光信号にＥ／Ｏ変換され、光回線２３１，２３２，〜，２３ｎを通じて親局装置２２０に受信され、さらに、基地局２１０に伝達される。
【０００４】
図６は、図５の親局装置２２０と、子局装置２４１（他の子局装置２４２，〜，２４ｎについても同じである）との関係を詳しく示すブロック図である。図６の親局装置２２０において、基地局２１０からの下り信号ＤＳは、親局制御部２２ｃの制御の下で、増幅器２２ａによって増幅され、電気／光変換器２２ｂ（Ｅ／Ｏ変換器２２ｂ）によって光信号に変換され、光回線２３１の光信号ケーブル２３ａを介して子局装置２４１に引き渡される。子局装置２４１において、下り信号ＤＳは子局制御部２４ｃの制御の下で、光／電気変換器２４ａ（Ｏ／Ｅ変換器２４ａ）によって電気信号に変換され、増幅器２４ｂによって増幅される。また、子局装置２４１が受信した上り信号ＰＳは子局制御部２４ｃの下で、増幅器２４ｅによって増幅され、Ｅ／Ｏ変換器２４ｄによって光信号に変換され、光回線２３１の光信号ケーブル２３ｂを介して親局装置２２０に引き渡される。親局装置２２０において、上り信号ＰＳは親局制御部２２ｃの制御の下で、Ｏ／Ｅ変換器２２ｅによって電気信号に変換され、増幅器２２ｄによって増幅される。
【０００５】
このように構成される親局装置２２０と子局装置２４１との間では、本線のＲＦ信号の授受以外に、監視や制御に関する情報を授受できるようになっており、これを“装置間通信”と呼ぶ。これをさらに具体的にいうと、ＲＦ信号とは別の周波数帯を使用し、ＲＦ信号と重畳させて光信号ケーブルを介して通信を行うものである。そこで、このような装置間通信を行う機能部分を示したのが図７である。この図７においては、ＲＦ信号を授受する機能の部分の表示は、説明を簡略にするために省略されている。この場合、親局制御装置２２０から子局装置２４１に向けての下り回線において、送信信号はＭＰＵ５０の制御の下でシリアル信号としてＦＳＫ変調部５１（ＦＳＫ・ＭＯＤ５１）に引き渡される。
【０００６】
引き渡された信号は、ＦＳＫ・ＭＯＤ５１でＦＳＫ変調を受け、アナログ信号として、Ｅ／Ｏ変換器２２ｂに引き渡され、Ｅ／Ｏ変換器２２ｂでＥ／Ｏ変換され、光信号ケーブル２３ａを介して子局装置２４１に送信される。子局装置２４１のＯ／Ｅ変換器２４ａに受信された信号は、Ｏ／Ｅ変換器２４ａでＯ／Ｅ変換され、ＦＳＫ復調部６１（ＦＳＫ・ＤＥＭ６１）でＦＳＫ復調を受け、デジタル信号に復調される。子局装置２４１から親局装置２２０に向けての上り回線に関しても、ＦＳＫ・ＭＯＤ６２、Ｅ／Ｏ変換器２４ｄ、光信号ケーブル２３ｂ、Ｏ／Ｅ変換器２２ｅ、ＦＳＫ・ＤＥＭ５２を介して同様な原理で監視や制御に関する情報の送受信が行われる。
【発明の開示】
【発明が解決しようとする課題】
【０００７】
上述の従来の装置間通信システムにおいては、監視や制御に関する情報を伝送する場合にアナログ信号を用いるような構成となっている。この場合、監視系信号の出力を増大させると、本線のＲＦ信号と干渉し、通信品質に悪影響を与えることが分かっている。そこで、低い信号レベルであっても通信品質の確保が可能なＦＳＫ変復調方式を採用してきた。しかし、この方式では、伝送レートは、１２００ｂｐｓ程度が限度であり、例えば、親局装置から子局装置にデータダウンロードを行いたいといった要望があったとしても、その要望に対応するのは困難である。この要望に対応するのには、最低でも９６００ｂｐｓ以上の伝送レートが必要だからである。ＦＳＫ変復調方式の代わりにＡＳＫ変復調方式を採用することも考えられるが、この方式はＳ／Ｎ比により伝送品質が大きく変動し、本線ＲＦ信号レベルとの干渉なく通信を行うためには極めて低い信号レベルに設定しなければならず、本線ＲＦ信号の伝送を停止することなく装置間通信を行うことはできない。
【０００８】
本発明は上述した問題点を解決するためになされたものであり、親局装置と子局装置との間の装置間通信における監視および制御に関する情報の授受の際に、授受する情報のデータ量に応じて変調方式を切り替え、適切な伝送レートを設定することができる装置間通信システムを提供することを目的とする。
【課題を解決するための手段】
【０００９】
上述した課題を解決するために本発明は、基地局と電波不感地帯にある端末装置との間のＲＦ信号の授受を可能にするために、基地局との間の通信を行う親局装置と、親局装置と光信号ケーブルを介して通信を行うとともに、親局装置と端末装置との間の通信を媒介する子局装置とを有し、親局装置と子局装置との間ではＲＦ信号以外の監視および制御に関する装置間通信が行われる装置間通信システムにおいて、親局装置と子局装置とのうち、少なくとも親局装置に配置され、装置間通信のために異なる変調方式をそれぞれ実行する複数の変調部と、前記複数の変調部からの変調信号を受ける親局装置または子局装置に配置された複数の復調部と、送信する情報のデータ量に適合する有利な変調方式を実行する変調部、および、その変調部に対応する復調部を選んで装置間通信を親局装置と子局装置との間で実行させる変調方式選択制御部とを有する。
【００１０】
このような構成によれば、変調方式選択制御部は、複数の変調部および複数の復調部の中から装置間通信を行うデータ量に適合する変調部と復調部とを選択し、選択した変調部と復調部とを介して最適な装置間通信を行わせることができる。
【発明の効果】
【００１１】
以上、詳述したように、本発明の装置間通信システムによれば、変調方式選択制御部が複数の変調部および複数の復調部の中から装置間通信を行うデータ量に適合する変調部と復調部とを選択し、選択した変調部と復調部とを介して装置間通信を行わせることにより、親局装置と子局装置との間に最適な伝送レートを設定することができる。
【発明を実施するための最良の形態】
【００１２】
以下、本発明の実施の形態について図面を参照しつつ説明する。図１は、本発明の装置間通信システムの実施の形態１を示すブロック図、図２は、図１の親局装置と子局装置との構成及び接続を示すブロック図、図３は、図１の親局装置と子局装置との間の監視や制御に関する情報の授受を行う機能部分を示すブロック図である。図１の装置間通信システム１００は、基地局１１０と、親局装置１２０と、親局装置１２０に光回線１３１，１３２，〜，１３ｎでそれぞれ接続された子局装置１４１，１４２，〜，１４ｎと、モデム１２８および電話回線１２９を介して親局装置１２０に接続された監視局１５０とを有する。
【００１３】
上述の装置間通信システム１００において、基地局１１０と親局装置１２０との間の送受信は、有線あるいは無線で行われる。基地局１１０からの信号は、親局装置１２０で受信され、電気信号から光信号にＥ／Ｏ変換され、光回線１３１，１３２，〜，１３ｎを通じて複数の子局装置１４１，１４２，〜，１４ｎに伝達される。子局装置１４１，１４２，〜，１４ｎは、受け取った光信号を電気信号にＯ／Ｅ変換し、ＲＦ信号としてアンテナから電波不感地帯に送信し、自局のサービスを受ける端末装置に受信させる。逆に、端末装置からの送信信号は、子局装置１４１，１４２，〜，１４ｎに受信され、電気信号から光信号にＥ／Ｏ変換され、光回線１３１，１３２，〜，１３ｎを通じて親局装置１２０に受信され、さらに、基地局１１０に伝達される。
【００１４】
図２は、図１の親局装置１２０と、子局装置１４１（他の子局装置１４２，〜，１４ｎについても同じである）との関係を詳しく示すブロック図である。図２で示される親局装置１２０において、基地局１１０からの下り信号ＤＳは、親局制御部１２ｃの制御の下で、増幅器１２ａによって増幅され、電気／光変換器１２ｂ（Ｅ／Ｏ変換器１２ｂ）によって光信号に変換され、光回線１３１の下り光信号ケーブル１３ａを介して子局装置１４１に引き渡される。子局装置１４１において、下り信号ＤＳは子局制御部１４ｃの制御の下で、光／電気変換器１４ａ（Ｏ／Ｅ変換器１４ａ）によって電気信号に変換され、増幅器１４ｂによって増幅される。また、子局装置１４１が受信した上り信号ＰＳは子局制御部１４ｃの制御の下で、増幅器１４ｅによって増幅され、Ｅ／Ｏ変換器１４ｄによって光信号に変換され、光回線１３１の上り光信号ケーブル１３ｂを介して親局装置１２０に引き渡される。親局装置１２０において、上り信号ＰＳは親局制御部１２ｃの制御の下で、Ｏ／Ｅ変換器１２ｅによって電気信号に変換され、増幅器１２ｄによって増幅される。
【００１５】
このように構成される親局装置１２０と子局装置１４１との間では、本線のＲＦ信号の授受以外に、監視や制御に関する情報を装置間通信として授受している。このような装置間通信を行う機能部分の第１の例を示したのが図３である。図３においては、ＲＦ信号を授受する機能の部分の表示は、説明を簡略にするために省略している。この場合、親局制御装置１２０から子局装置１４１に向けての下り回線において、送信信号はＭＰＵ３０の制御の下でシリアル信号としてＦＳＫ変調部３１（ＦＳＫ・ＭＯＤ３１）、または、ＡＳＫ変調部３２（ＡＳＫ・ＭＯＤ３２）に引き渡される。引き渡された信号は、ＦＳＫ・ＭＯＤ３１でＦＳＫ変調を受けるか、ＡＳＫ・ＭＯＤ３２でＡＳＫ変調を受けるかしてスイッチ３３に引き渡される。
【００１６】
スイッチ３３はＭＰＵ３０の指示により、ＦＳＫ・ＭＯＤ３１の出力、または、ＡＳＫ・ＭＯＤ３２の出力を選択し、Ｅ／Ｏ変換器１２ｂに引き渡す。Ｅ／Ｏ変換器１２ｂに引き渡された出力は、Ｅ／Ｏ変換器１２ｂでＥ／Ｏ変換され、光信号ケーブル１３ａを介して子局装置１４１に送信される。光信号ケーブル１３ａを介して子局装置１４１のＯ／Ｅ変換器１４ａに受信された信号は、Ｏ／Ｅ変換器１４ａでＯ／Ｅ変換される。Ｏ／Ｅ変換された信号は、ＭＰＵ３０によって指示されたＦＳＫ変調、または、ＡＳＫ変調に対応して、ＦＳＫ復調部４１（ＦＳＫ・ＤＥＭ４１）または、ＡＳＫ復調部４２（ＡＳＫ・ＤＥＭ４２）に引き渡される。ＦＳＫ・ＤＥＭ４１、または、ＡＳＫ・ＤＥＭ４２の出力は、ＭＰＵ３０によって指示されたＦＳＫ変調、または、ＡＳＫ変調に対応して切り替えが行われているスイッチ４３を介してＭＰＵ４０に引き渡される。
【００１７】
また、子局装置１４１から親局装置１２０に向けての上り回線に関しても同様な原理で信号の送受信が行われる。すなわち、子局装置１４１からの送信がＦＳＫ変調で行われるか、または、ＡＳＫ変調で行われるかによって、ＭＰＵ４０は、稼働させるべきＦＳＫ・ＭＯＤ４５、または、ＡＳＫ・ＭＯＤ４６を決定し、その決定に基づきスイッチ４９を切り替え、この経路を通って送信信号はＥ／Ｏ変換器１４ｄに引き渡される。Ｅ／Ｏ変換器１４ｄに引き渡された出力は、Ｅ／Ｏ変換器１４ｄでＥ／Ｏ変換され、光信号ケーブル１３ｂを介して親局装置１２０のＯ／Ｅ変換器１２ｅに送られ、Ｏ／Ｅ変換される。Ｏ／Ｅ変換された信号は、ＭＰＵ３０，４０によって指示されたＦＳＫ変調、または、ＡＳＫ変調に対応して、ＦＳＫ・ＤＥＭ３５、または、ＡＳＫ・ＤＥＭ３６に引き渡される。ＦＳＫ・ＤＥＭ３５、または、ＡＳＫ・ＤＥＭ３６の出力は、ＭＰＵ３０によって指示されたＦＳＫ変調、または、ＡＳＫ変調に対応して切り替えが行われているスイッチ３９を介してＭＰＵ３０に引き渡される。
【００１８】
上述したように、ＭＰＵ３０，４０は、送受信時の事情に合わせてＦＳＫ変調、または、ＡＳＫ変調を選択して使用することができる。ＡＳＫ変調が必要でないときには、ＭＰＵ３０，４０は、従来通り、ＦＳＫ・ＭＯＤ３１，４５およびＦＳＫ・ＤＥＭ３５，４１を作動させてＦＳＫ変調およびＦＳＫ復調を行う。しかし、ＡＳＫ変調が必要なときには、ＭＰＵ３０，４０は、ＲＦ本線の通信を停止し、ＡＳＫ・ＭＯＤ３２，４６およびＡＳＫ・ＤＥＭ３６，４２を作動させてＡＳＫ変調およびＡＳＫ復調を行う。このことにより、ＡＳＫ変復調でソフトウェアデータのダウンロードなどの高速動作を必要とする作業を実行することができる。また、親局装置同士の専用線接続による通信を行うことなく、２つの親局装置およびその配下にある全ての子局装置の監視や制御に関する情報を１つの親局装置に集約することができ、そこから監視局装置に報告することも可能となる。なお、変調方式の切り替えは、上り下り同時に変更することができるが、状況によっては、どちらか一方のみの切り替えであっても対応は可能である。
【００１９】
次に、本発明の装置間通信システムの実施の形態２について図４を参照して説明する。図４においては、装置間通信を行う機能部分の第２の例を示している。この場合の装置間通信システムにおいては、図３で示される親局装置１２０と子局装置１４１との代わりに親局装置３２０と子局装置３４１（子局装置３４２，〜，３４ｎは不図示）とが用いられる。図４においては、図３の場合と異なり、２つの変調方式を用いるのは、親局装置３２０から子局装置３４１への下り回線の送信を行う場合だけである。子局装置３４１では、バンドパスフィルタ４７，４８を用いてＡＳＫ変調の信号と、ＦＳＫ変調の信号とを分離している。
【００２０】
上述の場合、親局装置３２０は、ＭＰＵ３０からＦＳＫ・ＭＯＤ３１への信号と、ＡＳＫ・ＭＯＤ３２への信号とを別系統として出力し、ＲＦ信号の周波数以外の２つの異なる周波数（搬送波）を用い、Ｅ／Ｏ変換器１２ｂで重畳させることにより、切り替えを無くし、子局装置３４１において、バンドパスフィルタ４７，４８を用いてＡＳＫ変調の信号と、ＦＳＫ変調の信号とを分離している。このような構成により、ＲＦ本線の信号を停止すること無しに、ソフトウェアデータ等のダウンロードを行うことができる。また、通信回線の簡素化および原価の低減を実現できる。
【図面の簡単な説明】
【００２１】
【図１】本発明の装置間通信システムの実施の形態１を示すブロック図である。
【図２】図１の親局装置と子局装置との構成及び接続を示すブロック図である。
【図３】図１の親局装置と子局装置との間の監視や制御に関する情報の授受を行う機能部分を示すブロック図である。
【図４】本発明の装置間通信システムの実施の形態２における親局装置と子局装置との間の監視や制御に関する情報の授受を行う機能部分を示すブロック図である。
【図５】装置間通信システムの従来例を示すブロック図である。
【図６】図５の親局装置と子局装置との構成及び接続を示すブロック図である。
【図７】図５の親局装置と子局装置との間の監視や制御に関する情報の授受を行う機能部分を示すブロック図である。
【符号の説明】
【００２２】
１２ａ，１２ｄ，１４ｂ，１４ｅ  増幅器、１２ｂ，１４ｄ  Ｅ／Ｏ変換器、１２ｃ，３２ｃ  親局制御部、１２ｅ，１４ａ  Ｏ／Ｅ変換器、１３ａ  下り光信号ケーブル、１３ｂ  上り光信号ケーブル、１４ｃ，３４ｃ  子局制御部、３０，４０  ＭＰＵ、３１，４５  ＦＳＫ／ＭＯＤ、３２，４６  ＡＳＫ・ＭＯＤ、３５，４１  ＦＳＫ・ＤＥＭ、３６，４２  ＡＳＫ・ＤＥＭ、１００  装置間通信システム、１１０  基地局、１２０，３２０  親局装置、１２８  モデム、１２９  電話回線、１３１〜１３ｎ  光回線、１４１〜１４ｎ，３４１〜３４ｎ  子局装置、１５０  監視局装置。
【図１】
2006060340.tif 000003
【図２】
2006060340.tif 000004
【図３】
2006060340.tif 000005
【図４】
2006060340.tif 000006
【図５】
2006060340.tif 000007
【図６】
2006060340.tif 000008
【図７】
2006060340.tif 000009